(57)【要約】【課題】  墓の花立てを強風から守るために、二種類のゴムバンドを使って花立てのカタカタ動きを止めるようにした方法と、其の道具であるゴムバンドの提供を目的としている。【解決手段】  各墓で花立ての隙間は異なる。その異なる隙間に自在に対応して嵌入できるゴムバンドの提供をめざし、広幅ゴムバンドの切断部一端を厚くし、他端へと薄く穴あけパンチの刃先のように環状で楔形に仕上げた環状楔形ゴムバンドを提供したことと、図１のように花立ての底部に平板形ゴムバンド１１を、中央部に環状楔形ゴムバンド１２を装着して挿入孔へ挿入することで挿入孔底部と花立てとの間に、この平板形ゴムバンドを挟みこませて緩衝材とし、中央部に装着した環状楔形ゴムバンドを挿入孔口の隙間に嵌入することで花立てのカタカタ動きを確実に止めるようにした方法の提供により強風から花立てを守るようにした。【選択図】図１
2006316477.tif 000002
【特許請求の範囲】
【請求項１】
墓の花立てと挿入孔壁との隙間は各墓で異なる。其の異なる隙間に自在に嵌入出来るように、広幅ゴムバンドの切断部一端を厚く他端へ薄く穴あけパンチの刃先のように環状で楔形のゴムバンドに仕上げて広い隙間にも狭い隙間にも自在に嵌入出来るようにしたことと、この環状楔形ゴムバンドを花立て挿入孔口の隙間に嵌入することで花立てのカタカタ動きを確実に止めるようにしたことからなる環状楔形ゴムバンド（１２）
【請求項２】
花立てのカタカタ動きを止める方法として、花立てに底側面から底に曲り込むように小さめの平板形ゴムバンドを装着し、中央部に環状楔形ゴムバンドを上が厚く下へと薄くなるように装着して挿入孔へ挿入することで、挿入孔底部と花立てとの間にこの平板形ゴムバンドを挟み込ませて緩衝材とし、中央部に装着した環状楔形ゴムバンドを挿入孔口の隙間に嵌入することで花立てのカタカタ動きを止めるようにしたことからなる花立てのカタカタ動きを止める方法（図１、６）
【発明の詳細な説明】
【技術分野】
【０００１】
墓の花立てを強風から守るために、本発明は花立ての底部と中央部に二種類のゴムバンドを装着して挿入孔へ挿入することで花立てのカタカタ動きを止めるようにした方法と、其の道具であるゴムバンドの製作に関する。
【背景技術】
【０００２】
特開２０００−０７３６２３号（以下特許文献１という）に「（課題）  異なる孔径の挿入孔２に対しても調整することで安定性良く確実に立設保持できる画期的な墓用花立を提供すること。（解決手段）  墓石  １の所定位置に設けた挿入孔２に挿入して立設保持する墓用花立において、花立用容体３に前記挿入孔２に挿入する挿入部４を垂設し、この挿入部４の外径寸法を調整自在に構成した墓用花立。」という記載がある。
【０００３】
特開平０９−３１７２４９号（以下特許文献２という）には「（課題）花立容器の墓石  の縦穴内における移動や振動を防止して、異音の発生や花立容器からの草花の抜け落ちを防止し得ると共に、長期に亘り使用し得る墓石  用の花立容器を提供する。（解決手段）少なくとも上面が開口して内部に孔が形成され、墓石  の上面に開口した所定の深さの縦穴内に嵌挿される墓石  用の花立容器において、墓石  の縦穴内に嵌挿される本体部と、この本体部の外側面に設けられて墓石  の開口上面に当接する顎部を具備し、本体部の縦穴内に嵌挿される外側面に弾性部材を固着して、本体部の縦穴内における移動を規制することを特徴とする。弾性部材は、例えばその中央部分が略三角形状に屈曲された板バネで形成され、板バネの上端がフリーな状態でその下端が本体部の外側面に固着されて、本体部の長手方向の上下部にそれぞれ設けられる。」という記載がある。
【０００４】
特開平１０−１４７３５９号（以下特許文献３という）に「（課題）  如何なる外部環境が厳しい中においても液体または気体がパッキング  を通して浸出入しない密閉性の高いパッキング  を提供すること。（解決手段）  容器の蓋１の外周に沿って設けられた外縁部と内縁部と外縁部及び内縁部を接続する底部とにより断面がほぼコの字に形成された密閉溝２に嵌め込まれ、密閉溝に嵌め込まれたとき、一端に前記内縁部に内接する内封部８と他端に前記外縁部に内接する外封部７と前記底部に内接して内封部と外封部とを接続する連結部９とにより断面がほぼコの字に形成されたパッキング  ３であって、外封部７には内部に向けた突起１０を有し、連結部９のほぼ中央部は垂下して底部と連結部との間に円弧状の空隙または凹部を形成し、容器の縁で連結部９を押圧することにより容器に対し突起１０を圧接して密閉度を高めるようにした」という記載がある。
【０００５】
特開２００４−８１６８４号（以下特許文献４という）には「（課題）針の径の大小に拘わらず、どのような針でもゴム栓  を確実に挿通させるようにすることができる薬用瓶  の蓋を提供することを課題とする。（解決手段）薬用瓶  ４の瓶  口はゴム栓  ５によって填塞されている。ゴム栓  ５の上部には蓋２が冠着している。ゴム栓  ５および蓋２は口金１によって瓶  口に固定されている。蓋２には透孔２３が形成されており、透孔２３の縁の部分には針案内部２４が形成されている。また、瓶  口の上面部と対向する位置に、ゴム栓  押さえ部２５が突設されている。瓶  口の上面部とゴム栓  押さえ部２５によってゴム栓  ５のフランジは挾持」という記載がある。
【０００６】
特開平７−２７９３９２号（以下特許文献５という）には「（目的）  外装材で外壁を形成した際に・・・・・  （構成）  胴縁等１の躯体上に防水シートＥ、その上に敷目板２を固定し、敷目板２の取付部８上に外装材Ａの端部を載置すると共に、端部を釘等の固定
Ｂで固定し、パッキング材２８を端部に装着したカバー材１０を敷目板２に係合して上記端部を覆い、カバー材１０の化粧凹条２１に弾性楔  材２９を嵌挿した端部構造である」という記載がある。
【０００７】
【特許文献１】特開２０００−０７３６２３号公報
【特許文献２】特開平０９−３１７２４９号広報
【特許文献３】特開平１０−１４７３５９号広報
【特許文献４】特開平２００４−８１６８４号広報
【特許文献５】特開平７−２７９３９２号広報
【発明の開示】
【発明が解決しようとする課題】
【０００８】
特許文献１の花立ては底部の調節片部だけを挿入孔に挿入する花立てで本体は挿入孔より上にあって重心が高く、しかも挿入部の調節後に挿入するので一般の花立てと同じように隙間は完全に無くならず花立ての動きを完璧には止め切れない。特許文献２は花立て本体の上下に板バネを持つので、ばね効果のある範囲内の挿入孔では花立ての動きが止まる。でも現墓に活用するには何種類もの花立てを必要とする欠点がある。両特許文献共、花立ての動きを止める工夫では本発明と共通点を持つが、本発明は新しい花立ての工夫が目的ではなく、今墓場で使われている数千万個の花立てが、台風や季節風等でカタカタと動き傷ついたり割れたりするのを止める方法と其の道具の提供を目的としている。
【０００９】
特許文献３はパッキングの技術で、両部材が接する部分からは水も空気も漏らさない。特許文献４のゴム栓の蓋も水等の完全密閉を目的にしている。両文献とも部材間の隙間を埋める面では本発明と類似点を持つが、本発明は隙間の完全密閉が目的ではなく、花立ての隙間にゴムバンドを挟み込ませたり、挿入孔口の隙間を埋めて花立てのカタカタ動きを止めるのがねらいである。
【００１０】
特許文献５は弾性楔を使って外装板化粧材部を接合させる技術であるが、本発明は墓の花立てのカタカタ動きを止めるのに、この楔の技術を活用して、それぞれの墓で異なる花立ての広い隙間にも狭い隙間にも、自在に対応して嵌入できるように環状で楔形に仕上げたゴムバンドの提供を目的としている。    
【課題を解決するための手段】
【００１１】
本発明は墓の花立てを強風から守るために、平板形ゴムバンドを花立ての底部に装着し、環状楔形ゴムバンドを中央部に装着して挿入孔へ挿入することで挿入孔底部と花立てとの間に、この平板形ゴムバンドを挟み込ませて緩衝材とし、中央部に装着した環状楔形ゴムバンドを挿入孔口の隙間に嵌入することで花立てのカタカタ動きを確実に止めるようにした方法により強風から花立てを守るようにしたことと、その道具としての二種類のゴムバンド、平板形ゴムバンドと環状楔形ゴムバンドの提供を実現した。
【００１２】
本発明で言う平板形ゴムバンドとは、単車チューブを広幅で輪切りにしたような形のゴムバンドのことであり、花立ての直径より少し小さいものを引き伸ばして花立ての底側面から底へ外れるように装着することで、外れた部分は底内側に折れ曲がる。この平板形ゴムバンドを装着した花立てを挿入孔へ挿入することで、挿入孔底部と花立てとの間にこのゴムバンドを挟み込ませ花立てと墓石部材との緩衝材とした。
【００１３】
環状楔形ゴムバンドとは、平板形ゴムバンドの切断部の一端を厚くし他端へと薄く、穴あけパンチの刃先のように環状で楔形に仕上げたゴムバンドのことである。この環状楔形ゴムバンドは、それぞれの墓で異なる花立ての隙間に、広い隙間でも狭い隙間でも自在に対応して嵌入できるようにした楔形のゴムバンドである。この環状楔形ゴムバンドの提供で、どの墓の花立てでもカタカタ動きが自在に止められるようになった。
【００１４】
本発明で言う強風から花立てを守る方法とは、花立ての底部に平板形ゴムバンドを装着し中央部に環状楔形ゴムバンドを装着して、その花立てを挿入孔へ挿入することで挿入孔底部と花立てとの間にこの平板形ゴムバンドを挟み込ませて緩衝材とし、中央部に装着した環状楔形ゴムバンドを挿入孔口の隙間に嵌入することで花立ての動きを確実に止めるようにした方法のことである。
【発明の効果】
【００１５】
以上説明したように、二種類のゴムバンドで花立てのカタカタ動きを確実に止めるようにした方法により、台風や季節風等で花立てがカタカタと動くことがなくなり、花立てが傷ついたり割れたりすることもなくなった。
【００１６】
わが国では数千万の墓の花立てが常に台風等の危機にさらされながら数千万の家庭に守られ花立てが割れれば即買い替えられている。本発明は、これらの花立てを台風等の強風から守るための方法と其の道具を提供した。
【発明を実施するための最良の形態】
【００１７】
本発明の実施の形態を実施例に基づき図面を参照しながら説明する。墓では挿入孔を墓石に直接彫り込み、その挿入孔に楽に抜き差しできる陶器等の花立てを選ぶので必ず隙間が出来る。台風や季節風等では、花立てが動き墓石と花立ての硬い素材同士がカタカタと音を立ててぶつかり、花立ては傷付き割れることもある。
【００１８】
図１は墓で使われる花立ての底部に平板形ゴムバンド１１を装着し、中央部に環状楔形ゴムバンドを装着した図である。ゴムバンドは伸び率が約５．５倍の天然ゴム材で、厚さ１１ｍｍ、巾２５ｍｍである。この平板形ゴムバンドを花立ての底部に装着して挿入孔へ挿入することで挿入孔底部と花立てとの間に、このゴムバンドを挟み込ませる。
【００１９】
この平板形ゴムバンド１１の直径は７５ｍｍで花立ての外径より約１５ｍｍ小さいものを１．２倍引き伸ばして花立ての底面から下へ約５ｍｍ外して図２のように底側面部に装着する。底面から外れた部分は底内側に曲がり込んで底部を覆う。
【００２０】
次に、図１の中央部に装着した環状楔形ゴムバンド１２を説明する。花立てと挿入孔壁との隙間は全ての墓で異なる。この異なる隙間に自在に対応して隙間に嵌入できるようにした環状楔形ゴムバンドは、上端の厚さを５ｍｍにして下端へ薄く穴開けパンチの刃先のように環状で楔形に仕上げたゴムバンドである。この環状楔形ゴムバンド１２を花立ての中央部に装着して挿入孔へ挿入し、挿入孔口の隙間に嵌入することで花立てのカタカタ動きを止めるようにした。
【００２１】
花立てに上記二種類のゴムバンドを図１のように装着し、その花立てを挿入孔へ挿入することで、挿入孔底部と花立てとの間に花立て底部に装着したゴムバンド１１を挟み込ませて緩衝材とし、中央部に装着した環状楔形ゴムバンド１２を挿入孔口の隙間に嵌入することで花立てのカタカタ動きを確実に止めて強風から花立てを守るようにした。
【００２２】
以上、二種類のゴムバンドを装着した（図１）で花立てを強風から守る方法を説明した。以下その道具としてのゴムバンドの製作について実施例を通しながら説明する。
【実施例１】
【００２３】
図１の花立て底部の平板形ゴムバンド１１は、単車チューブを広幅に切断したような形のゴムバンドである。このゴムバンドの製作は、厚さ１．２ｍｍ、内径７５ｍｍの既製ゴムパイプを２５ｍｍ幅に切断して製作する。実施例では外径９０ｍｍの花立てに装着するために次の条件のものを使用した。材質は天然ゴム、伸び率約５．５倍、幅２５ｍｍ、厚さ１．２ｍｍ、内径７５ｍｍのゴムバンド、これを１．２倍引き伸ばして花立て底部に装着した。
【００２４】
この平板形ゴムバンドは図２のようにゴムバンドを花立て底内側へ曲がり込ませるために花立て外径より小さいものを引き伸ばして装着する。引き伸ばし率が大き過ぎても小さ過ぎても良くない。条件を変えながら実験した結果、引き伸ばし倍率は１．２倍〜１．３倍が最適であった。１．２倍以下は花立てへの密着度が弱過ぎるし、１．３倍以上は引き伸ばしに無理があった。
【００２５】
図１の花立て中央部に装着する楔形ゴムバンド１２も天然ゴムで製作する。製作方法では金型使用と平板形ゴムバンド１１を使って製作する方法の二つを述べる。
【実施例２】
【００２６】
図３は金型で環状くさび形ゴムバンド１２を製作して花立てに装着した断面図である。実施例では、外径９０ｍｍの花立てに装着するために、環状楔形ゴムバンドの内径を８５ｍｍ、上端の外径を９５ｍｍにした。これでゴム上端の厚さは５ｍｍになる。このサイズでゴムバンドの幅を１５ｍｍにした金型を作り、その金型にゴムを流し込んで固め、環状楔形ゴムバンド１２を製作した。これを花立ての中央部に装着して挿入孔へ挿入し、挿入孔口の隙間に嵌入したら花立ての動きを確実に止めた。
【実施例３】
【００２７】
図４は平板形ゴムバンド１１を使って環状楔形ゴムバンド１２を製作し外径９０ｍｍの花立てに装着した断面図である。実施例では、厚さ１．２ｍｍ、幅２５ｍｍ、内径８３ｍｍの平板形ゴムバンドを使って次のように製作した。ゴムバンドの上切断部から約１０ｍｍの位置を折り曲げ部分５１にし、そこに芯５２になる別のゴム輪を置き、それを巻き込んで内側に折り曲げて接着することで図４、図５のような環状楔形ゴムバンド１２を製作した。
【００２８】
こうして製作した環状楔形ゴムバンドは、図５の断面図のようにゴムバンドの下端部がゴムバンド１枚分の厚さで１．２ｍｍ、中央部がゴムバンド２枚分の厚さで２．４ｍｍ、上部はゴムバンド２枚分２．４ｍｍと芯の厚み２ｍｍを合わせた４．４ｍｍの厚さになり、図５のように花立てへの接点５４の三点で花立てに密着し、外面は上が厚く下へ薄く滑らかな環状楔形ゴムバンドになった。８ｍｍ以下の隙間に対応でき花立ての動きを確実に止めた。
【実施例４】
【００２９】
今墓で使用されている全花立てに対応できるゴムバンドの製作をめざす実態調査結果、  １  花立てサイズは特殊を除き外径５０〜９５ｍｍで、隣サイズとの間隔は０〜８ｍｍの間に何種類もあった。  ２  挿入孔サイズも同様で隣サイズとの間隔は０〜８ｍｍであった。この結果より挿入孔に合う花立てを選べば隙間幅は８ｍｍ以下に押さえられる。      
【００３０】
実態調査より花立ての外径は５０〜９５ｍｍ、ゴムバンドの伸び率は５倍以上あるので直径５０ｍｍのゴムバンドを２倍弱引き伸ばせば全花立てに装着できる。長さを２倍引き伸ばせば厚さと巾は√２分の一に縮むので８ｍｍの隙間に対応するには、環状楔形ゴムバンドの上端の厚さを５．７ｍｍ以上に仕上げればよい。でも、このようにゴムバンドを２倍も引き伸ばせば使用しにくい。そこで大中小の３段階に分けて製作すれば環状楔形ゴムバンド上端の厚さは４．４ｍｍで良く、引き伸ばしは１．２倍以下で全墓場の花立てに対応できる。
【産業上の利用可能性】
【００３１】
わが国では数千万の墓にある花立てを数千万家族で守っている。台風や季節風等で花立てが割れたら当然のように各家庭で買い替えている。年に何度も割れることもある。
しかし、本発明が強風から花立てを守る方法と、その道具であるゴムバンドを提供したことにより今後は台風や季節風の強風から全ての花立てを守ることが出来る。
【図面の簡単な説明】
【００３２】
【図１】花立て底部を覆う平板形ゴムバンド１１と挿入孔口の隙間に嵌入する環状楔形ゴムバンド１２を装着した見取図である。
【図２】平板形ゴムバンド１１を約１．２倍引き伸ばして花立ての底部に装着した時、底から外れた部分が底面内側へ曲がり込んだ状態を示す見取り図である。
【図３】金型で環状楔形ゴムバンドを製作して花立てに装着した断面図である。
【図４】平板形ゴムバンド１１を使って環状楔形ゴムバンドを製作し、それを花立てに装着した断面図である。
【図５】平板形ゴムバンドを使って製作した環状楔形ゴムバンド図４の拡大図である。
【図６】花立てに平板形ゴムバンド１１と環状楔形ゴムバンド１２を装着して挿入孔へ挿入した見取り図である。
【符号の説明】
【００３３】
１１  平板形ゴムバンド
１２    環状楔形ゴムバンド
１３  花立て
５１    折り曲げ部
５２    ゴム芯
５３    接着部
５４    花立てへの接点
６１    花立台
６２    挿入孔
【図１】
2006316477.tif 000003
【図２】
2006316477.tif 000004
【図３】
2006316477.tif 000005
【図４】
2006316477.tif 000006
【図５】
2006316477.tif 000007
【図６】
2006316477.tif 000008